(57)【特許請求の範囲】
【請求項１】
複数の楽器演奏パートを含むカラオケ楽曲データを再生する通常再生状態と、
当該複数の楽器演奏パートのうち所望の１つの楽器演奏パートを除いて再生するマイナスワン再生状態と、を切り替えて設定可能なマイナスワン切替手段と、
前記マイナスワン切替手段での設定に応じ、前記マイナスワン再生状態又は前記通常再生状態で前記カラオケ楽曲データを再生するカラオケ楽曲再生手段と、
楽器演奏者の楽器の演奏により前記楽器から出力される演奏信号を入力する演奏信号入力手段と、
前記カラオケ楽曲再生手段による前記カラオケ楽曲データの再生時において前記演奏信号入力手段により入力された前記演奏信号に基づき、前記楽器の演奏の採点を行う楽器演奏採点手段と、
前記楽器演奏者に対し、前記マイナスワン再生状態での再生の継続又は中止を促す表示を実行可能な表示手段と、
前記カラオケ楽曲再生手段により前記マイナスワン再生状態で前記カラオケ楽曲データの再生が行われているとき、前記楽器演奏採点手段による採点値が所定の第１しきい値よりも低い場合には、前記マイナスワン再生状態での再生の中止を促す表示を行うように、前記表示手段を制御し、かつ、当該中止を促す表示が実行された以降の所定期間における、前記演奏信号入力手段により入力される前記演奏信号のレベルが、所定の第２しきい値よりも低い場合には、前記マイナスワン再生状態での再生から前記通常再生状態での再生へ設定を切り替えるように、前記マイナスワン切替手段を制御する、マイナスワン制御手段と、
を有することを特徴とする楽音演奏装置。
【請求項２】
請求項１記載の楽音演奏装置において、
前記マイナスワン制御手段は、
前記カラオケ楽曲再生手段により前記通常再生状態で前記カラオケ楽曲データの再生が行われているとき、前記楽器演奏採点手段による採点値が所定の第１しきい値以上である場合には、前記マイナスワン再生状態での再生を促す表示を行うように、前記表示手段を制御し、かつ、当該マイナスワン再生状態での再生を促す表示が実行された以降の所定期間における、前記楽器演奏採点手段による採点値が所定の第３しきい値以上である場合には、前記通常再生状態での再生から前記マイナスワン再生状態での再生へ設定を切り替えるように、前記マイナスワン切替手段を制御する、
ことを特徴とする楽音演奏装置。
【請求項３】
請求項１又は請求項２記載の楽音演奏装置において、
前記演奏信号入力手段に前記楽器演奏者の前記楽器が接続されたこと、及び、接続された当該楽器の種類、を検出する楽器識別手段をさらに有し、
前記マイナスワン制御手段は、
前記楽器識別手段により前記楽器の接続及び当該楽器の種類が検出された場合に、複数の楽器演奏パートのうち当該検出された楽器の前記楽器演奏パートを除いたマイナスワン再生状態での再生へ設定を切り替えるように、前記マイナスワン切替手段を制御する
ことを特徴とする楽音演奏装置。
【発明の詳細な説明】
【技術分野】
【０００１】
本発明は、カラオケ楽曲を演奏可能な楽音演奏装置に関する。
【背景技術】
【０００２】
カラオケ楽曲を演奏する演奏装置において、複数の楽器演奏パートを含むカラオケ楽曲データを、当該複数の楽器演奏パートのうち所望の１つの楽器演奏パートを除いた（又は減音した）マイナスワン再生状態で再生する技術が既に提唱されている（例えば、特許文献１参照）。楽器演奏者である利用者は、当該マイナスワン再生状態で再生されるカラオケ楽曲に合わせて上記除かれた（又は減音された）楽器演奏パートを自ら演奏して、当該楽器の練習を行ったり、カラオケ楽曲全体のアンサンブルを楽しむことができる。
【先行技術文献】
【特許文献】
【０００３】
【特許文献１】特開平１０−１８７１７５号公報
【発明の概要】
【発明が解決しようとする課題】
【０００４】
ところで、カラオケ楽曲の再生サービスを利用する場合には、通常、複数の人物が一緒に同室して楽しむ場合が多い。楽器演奏者が上記のようにマイナスワン再生状態で自分の楽器の演奏を行うとき、上手な演奏であれば、同室者にとっては心地よくまたライブ感によって高い娯楽性を得ることができるが、下手な演奏であれば、同室者にとっては苦痛を伴う。演奏者は、自分の楽器演奏が同室者に対し苦痛を与えているか若しくは心地よいライブ感を与えているか、同室者に対する気遣いを実行することが好ましい。しかしながら、上記従来技術では、このような点までは配慮されていなかった。
【０００５】
本発明の目的は、演奏者に対し同室者への配慮を喚起し、マイナスワン演奏を中止するかどうかを自ら決定可能とすることで、演奏者及び同室者双方の利便性を向上できる楽音演奏装置を提供することにある。
【課題を解決するための手段】
【０００６】
上記目的を達成するために、第１の発明は、複数の楽器演奏パートを含むカラオケ楽曲データを再生する通常再生状態と、当該複数の楽器演奏パートのうち所望の１つの楽器演奏パートを除いて再生するマイナスワン再生状態と、を切り替えて設定可能なマイナスワン切替手段と、前記マイナスワン切替手段での設定に応じ、前記マイナスワン再生状態又は前記通常再生状態で前記カラオケ楽曲データを再生するカラオケ楽曲再生手段と、楽器演奏者の楽器の演奏により前記楽器から出力される演奏信号を入力する演奏信号入力手段と、前記カラオケ楽曲再生手段による前記カラオケ楽曲データの再生時において前記演奏信号入力手段により入力された前記演奏信号に基づき、前記楽器の演奏の採点を行う楽器演奏採点手段と、前記楽器演奏者に対し、前記マイナスワン再生状態での再生の継続又は中止を促す表示を実行可能な表示手段と、前記カラオケ楽曲再生手段により前記マイナスワン再生状態で前記カラオケ楽曲データの再生が行われているとき、前記楽器演奏採点手段による採点値が所定の第１しきい値よりも低い場合には、前記マイナスワン再生状態での再生の中止を促す表示を行うように、前記表示手段を制御し、かつ、当該中止を促す表示が実行された以降の所定期間における、前記演奏信号入力手段により入力される前記演奏信号のレベルが、所定の第２しきい値よりも低い場合には、前記マイナスワン再生状態での再生から前記通常再生状態での再生へ設定を切り替えるように、前記マイナスワン切替手段を制御する、マイナスワン制御手段と、を有することを特徴とする。
【０００７】
本願第１発明の楽音演奏装置は、カラオケ楽曲データをマイナスワン再生状態で再生する機能を備えている。すなわち、マイナスワン切替手段が、カラオケ楽曲データをマイナスワン再生状態で再生する設定とした場合には、カラオケ楽曲再生手段によってカラオケ楽曲データは所望の１つの楽器演奏パートを除いたマイナスワン再生状態で再生される。これにより、楽器演奏者は、当該マイナスワン再生状態で再生されるカラオケ楽曲に合わせて、上記除かれた楽器演奏パートを自ら演奏して、当該楽器の練習を行ったり、カラオケ楽曲全体のアンサンブルを楽しむことができる。
【０００８】
ここで、カラオケ楽曲の再生サービスを利用する場合には、通常、複数の人物が一緒に同室して楽しむ場合が多い。楽器演奏者が上記のようにマイナスワン再生状態で自分の楽器の演奏を行うとき、上手な演奏であれば、同室者にとっては心地よくまたライブ感によって高い娯楽性を得ることができるが、下手な演奏であれば、同室者にとっては苦痛を伴う。
【０００９】
そこで、本願第１発明においては、楽器演奏の採点機能を備えている。すなわち、楽器演奏者の楽器からの演奏信号が演奏信号入力手段より入力されると、楽器演奏採点手段がその楽器演奏の採点を行う。そして、その採点値が所定の第１しきい値よりも低かった場合には、制御手段の制御により、表示手段において、マイナスワン再生状態での再生の中止を促す表示が行われる。これにより、演奏者は、自分の楽器演奏が同室者に対し苦痛を与えているかもしれない可能性を認識することができる。
【００１０】
そして、演奏者が当該認識により楽器演奏を中止する場合に備え、本願第１発明においては、上記中止を促す表示が実行された以降の所定期間における演奏信号のレベルが所定の第２しきい値よりも低い場合には、マイナスワン制御手段の制御により、マイナスワン切替手段が、マイナスワン再生状態での再生から通常再生状態での再生へと設定を自動的に切り替える。これにより、楽器演奏者は、例えば楽器演奏を中止するかほとんど演奏しないようにすることで、自らの意思でマイナスワン再生状態による楽器演奏を中止し、同室者に対する気遣いを実行することができる。
【００１１】
以上のようにして、本願第１発明においては、演奏者に対し同室者への配慮を喚起しつつ、演奏者の自らの意思でマイナスワン演奏を中止するかどうかを決定させることができる。したがって、演奏者及び同室者双方の利便性を向上することができる。
【００１２】
第２発明は、上記第１発明において、前記マイナスワン制御手段は、前記カラオケ楽曲再生手段により前記通常再生状態で前記カラオケ楽曲データの再生が行われているとき、前記楽器演奏採点手段による採点値が所定の第１しきい値以上である場合には、前記マイナスワン再生状態での再生を促す表示を行うように、前記表示手段を制御し、かつ、当該マイナスワン再生状態での再生を促す表示が実行された以降の所定期間における、前記楽器演奏採点手段による採点値が所定の第３しきい値以上である場合には、前記通常再生状態での再生から前記マイナスワン再生状態での再生へ設定を切り替えるように、前記マイナスワン切替手段を制御する、ことを特徴とする。
【００１３】
上述したように、楽器演奏者の演奏が上手であれば、同室者にとってはその演奏は心地よく、ライブ感により高い娯楽性を得ることができる。したがって、可能な限りその演奏は継続するほうが好ましい。
【００１４】
そこで、本願第２発明では、例えばマイナスワン再生状態ではない通常再生状態（すなわち楽器演奏者が演奏している当該楽器の楽器演奏パートを含む状態）でカラオケ楽曲データを再生しつつ、その再生される楽器演奏パートと楽音が重複するように楽器演奏者が自らの楽器の演奏を行っている場合において、楽器演奏の採点値が所定の第３しきい値よりも高かった場合には、マイナスワン制御手段の制御により、表示手段において、マイナスワン再生状態での再生を促す表示が行われる。これにより、演奏者に対し、自分の楽器演奏により同室者を喜ばすためには、マイナスワン再生状態としたほうがよいかもしれない、という認識を与えることができる。
【００１５】
そして、演奏者が当該認識によりカラオケ楽曲データの再生をマイナスワン再生状態に切り替える場合に備え、本願第２発明においては、上記マイナスワン再生状態での再生を促す表示が実行された以降の所定期間における演奏信号のレベルが所定の第３しきい値以上である場合には、マイナスワン制御手段の制御により、マイナスワン切替手段が、通常再生状態での再生からマイナスワン再生状態での再生へと設定を自動的に切り替える。これにより、楽器演奏者は、例えばその上手な楽器演奏を継続して実行することで、自らの意思でマイナスワン再生状態によるカラオケ楽曲の再生に切り替え、同室者に対するさらなる気遣いを実行することができる。
【００１６】
第３発明は、上記第１又は第２発明において、前記演奏信号入力手段に前記楽器演奏者の前記楽器が接続されたこと、及び、接続された当該楽器の種類、を検出する楽器識別手段をさらに有し、前記マイナスワン制御手段は、前記楽器識別手段により前記楽器の接続及び当該楽器の種類が検出された場合に、複数の楽器演奏パートのうち当該検出された楽器の前記楽器演奏パートを除いたマイナスワン再生状態での再生へ設定を切り替えるように、前記マイナスワン切替手段を制御することを特徴とする。
【００１７】
これにより、楽器演奏者が楽器の演奏を開始しようとして演奏信号入力手段に対し自らの楽器を接続するだけで、カラオケ楽曲データの再生の設定が、当該楽器の楽器パートを除いたマイナスワン再生状態に自動的に切り替えられる。したがって、楽器演奏者は、マイナスワン再生状態へ切り替えるための設定を手動で行う必要が無くなり、操作労力を低減することができる。
【発明の効果】
【００１８】
本発明によれば、演奏者に対し同室者への配慮を喚起することで、演奏者はマイナスワン演奏を中止するかどうかを自ら決定できる。したがって、演奏者及び同室者双方の利便性を向上することができる。
【図面の簡単な説明】
【００１９】
【図１】本発明の一実施形態のカラオケ装置の主要構成を示す説明図である。
【図２】楽器接続ボードの前面パネルの説明図、及び、楽器接続ボードの背面パネルの説明図である。
【図３】楽器接続ボードの内部に設けられた拡張Ｉ／Ｏポートと各フォンジャックとの接続関係を示す機能ブロック図である。
【図４】カラオケ装置に備えられた制御装置の前面パネルの説明図、及び、制御装置の背面パネルの説明図である。
【図５】制御装置の制御系の主要構成を示す機能ブロック図である。
【図６】サーバーから制御装置へ送信される曲データの主要構成を示す説明図、及び、ＭＩＤＩデータ、ＭＩＤＩデータの演奏部分の構成を示す説明図、エレキギターの音源を指定するＭＩＤＩデータ＃４を削除した演奏部分の構成を示す説明図、及び、ミュートデータ＃４が付加された演奏部分の構成を示す説明図である。
【図７】データテーブルの説明図である。
【図８】リモコンの外観を示す上面図である。
【図９】カラオケ装置による楽曲再生時にＣＰＵにより実行される処理内容を示すフローチャートである。
【発明を実施するための形態】
【００２０】
以下、本発明の一実施の形態について、図面を参照しつつ説明する。本実施形態では、楽音演奏装置の一例としてのカラオケ装置に本発明を適用した場合を例にとって説明する。この例では、利用者がカラオケ装置の演奏と共に自らエレキギターを演奏するために、エレキギターの楽曲パートを除いたマイナスワン再生状態でのカラオケ楽曲データの再生を意図する場合を例にとって説明する。
【００２１】
＜主要構成＞
図１は、本発明の音楽演奏装置の一実施形態としてのカラオケ装置の主要構成を示す説明図である。図１に示すように、カラオケ装置１０には、歌詞を示す歌詞テロップ、歌詞テロップの背景に表示する背景映像、選曲番号を示す映像などをＣＲＴに表示するモニタテレビ（以下、モニタと略称する）１３（表示手段）と、歌唱者用のモニタ１４（表示手段）と、エレキギター４やエレキベースギターなどの電子楽器を接続するための楽器接続ボード８と、複数の楽器の楽音により構成されるカラオケ用の楽曲（カラオケ楽曲。以下、適宜「曲」と略称する）の選曲、及び曲の再生の予約などの選曲制御、選曲された曲の送信要求を示すリクエスト信号のサーバーへの送信、及びリクエスト信号により示される曲に対応する曲データ（カラオケ楽曲データ）の受信などの通信制御、受信された曲データに含まれる楽音種類指定情報たるＭＩＤＩデータのうち楽器接続ボード８に接続された楽器と同じ種類の楽器の音源を指定するＭＩＤＩデータの削除、等を行う制御装置（コマンダ）２０とが備えられている。
【００２２】
さらに、カラオケ装置１０には、この例では、楽器接続ボード８から入力される楽器の演奏信号、マイクロフォン１７，１８から入力される音声信号及び曲の再生信号のミキシング、音声と曲との音量バランス、エコー調整、ディレイ調整、ミキシング信号の増幅、再生される曲の音程制御（キーコントロール）、高音、低音の制御（トーンコントロール）などを行うアンプ１６と、このアンプ１６から出力される増幅信号を音として再生するフロアータイプの１組のスピーカ１１，１１と、天井吊下げ用の１組のスピーカ１２，１２と、制御装置２０を遠隔操作するリモコン６０とが備えられている。
【００２３】
＜楽器接続ボード＞
楽器接続ボード８の構成について図２を参照して説明する。図２（ａ）は、楽器接続ボード８の前面パネルの説明図であり、図２（ｂ）は、楽器接続ボード８の背面パネルの説明図である。図２（ａ）に示すように、楽器接続ボード８の前面パネルの左上には、楽器接続ボード８の電源を立ち上げるための電源ボタン８１が設けられており、その右方には、電子ドラムの出力端子であるフォンプラグを接続する接続端子たるフォンジャック８２と、キーボードのフォンプラグを接続するフォンジャック８３と、エレキベースギターのフォンプラグを接続するフォンジャック８４と、エレキギター４のフォンプラグを接続する入力端子８５と、楽器の音程をＬＥＤで表示する音程表示手段たるチューニングメーターのプラグを接続するジャック８６とが設けられている。また、図２（ｂ）に示すように、楽器接続ボード８の背面パネルには、各フォンジャック８２，８３，８４，８５に入力される演奏信号をそれぞれ出力する出力端子８７が設けられている。
【００２４】
＜フォンジャックの接続関係＞
図３は、楽器接続ボード８の内部に設けられた拡張Ｉ／Ｏポートと各フォンジャック８２〜８５（演奏信号入力手段）との接続関係を示す説明図である。なお、各フォンジャック８２〜８５への楽器の接続は、それぞれ同一であるため、ここでは、エレキギター４をフォンジャック８５に接続する場合を代表に説明する。フォンジャック８５には、エレキギター４のフォンプラグ４ａの挿入によりＯＮし、離脱によりＯＦＦするスイッチが設けられている。スイッチは、拡張Ｉ／Ｏポート８８の検知ポートＰ０３に接続されている。スイッチには、５Ｖの直流電圧が印加されている。
【００２５】
そして、エレキギター４のフォンプラグ４ａがフォンジャック８５に挿入されると、スイッチがＯＮし、拡張Ｉ／Ｏポート８８の検知ポートＰ０３に現れる電圧は、０Ｖ（ローレベル）から５Ｖ（ハイレベル）に変化し、この変化は、背面の出力端子８７を介して後述する制御装置２０に備えられたＣＰＵ４５（後述）により検出される。一方、エレキギター４から出力される演奏信号は、フォンプラグ４ａを介して背面の出力端子８７へ出力され、この出力された演奏信号は、制御装置２０の入力端子６へ入力される。そして、音声制御回路５２において、音源信号のエレキギターの楽曲パート一部をエレキギター４の演奏信号と置き換えたマイナスワン再生状態で、音声出力端子４１へ出力される。
【００２６】
また、図３に示すように、電子ドラム１の演奏信号は、フォンジャック８２を介して拡張Ｉ／Ｏポート８８の検知ポートＰ００に、キーボード２の演奏信号は、フォンジャック８３を介して検知ポートＰ０１に、エレキベースギター３の演奏信号は、フォンジャック８４を介して検知ポートＰ０２にそれぞれ入力される。さらに、フォンジャック８４，８５は、チューニングメーター５を接続する出力端子８６に接続されており、エレキベースギター３及びエレキギター４の音程をチューニングできるようになっている。
【００２７】
以上のように、楽器接続ボード８は、各楽器のフォンプラグが接続されたことを検出するとともに、接続された楽器の１つの演奏信号を選択し、その選択された演奏信号６を信号制御装置２０の入力端子４４へ出力する役割をする。
【００２８】
＜制御装置の概略＞
上記制御装置２０の装備について図４を参照して説明する。図４（ａ）は、制御装置２０の前面パネルの説明図であり、図４（ｂ）は、制御装置２０の背面パネルの説明図である。図４（ａ）に示すように、制御装置２０の前面パネルには、選曲する曲の選曲番号の入力などを行うための０〜９のボタンからなるテンキー２１と、選曲を確定するための選曲ボタン２２とが設けられており、テンキー２１の上には、選曲された曲の選曲番号を６桁の数字でＬＥＤ表示する選曲番号表示体２３が設けられている。
【００２９】
また、選曲番号表示体２３の左には、再生が予約されている曲の数をＬＥＤ表示する予約曲数表示体２４が設けられており、その下には、予約の取り消を行うための取り消しボタン２５と、演奏を停止させる演奏停止ボタン２６と、歌っている途中で最初から歌い直すための歌い直しボタン２７と、予約曲の間に割り込んで予約するための割り込みボタン２８とが設けられている。さらに、前面パネルの左上には、リモコン６０から送信される光信号を受光する受光部３８が設けられており、左下には、制御装置２０の電源を立ち上げる電源ボタン３９が設けられている。
【００３０】
また、テンキー２１の右には、再生する曲のキーを低くコントロールするためのフラットキー２９と、再生する曲のキーを標準にコントロールするための標準キー３０と、再生する曲のキーを高くコントロールするためのシャープキー３１とが設けられており、それらキーの下には、ボーカルのメロディーラインの音量を設定するボーカルボタン３２と、２コーラス目までを再生する２コーラスカットボタン３３と、曲の後奏部分をカットする後奏カットボタン３４とが設けられている。さらに、それらボタンの下には、カラオケとＢＧＭ用とを切り替えるカラオケ切替ボタン３５と、ＬＡＮ回線１５（図５参照）を介して入力されるデータを曲データから有線放送、テレビ放送などに切り替える入力切替ボタン３６と、モニタ１３，１４の表示をカラオケボックスなどが提供しているサービス情報の表示に切り替えるサービスボタン３７とが設けられている。
【００３１】
また、図４（ｂ）に示すように、制御装置２０の背面パネルには、ＬＡＮ回線１５を接続する通信端子４０が設けられており、この通信端子４０の右方には、楽器接続ボード８の出力端子８７（図２（ｂ）参照）と接続される入力端子４４が設けられている。この入力端子４４の右方には、アンプ１６の音声入力端子（図示省略）と接続される音声出力端子４１と、モニタ１３の映像入力端子（図示省略）と接続される映像出力端子４２と、モニタ１４の映像入力端子（図示省略）と接続される映像出力端子４３とが設けられている。
【００３２】
＜制御系＞
上記制御装置２０の制御系の構成について図５を参照して説明する。図５は、制御装置２０の制御系の主要構成を示す機能ブロック図である。制御装置２０には、上記各種制御をプログラムにしたがって実行するＣＰＵ４５が備えられている。ＣＰＵ４５には、リモコン６０から送信されるデータ、選曲された曲の選曲番号を示す選曲番号データ、予約された曲の選曲番号データなどを一時保存するためのＲＡＭ４６と、データテーブル７８（後述の図７参照）及びＣＰＵ４５により実行されるプログラムなどが記憶されたＲＯＭ４７とが接続されている。
【００３３】
また、ＣＰＵ４５には、モニタ１３，１４に歌詞テロップや各種メッセージ映像を表示するための文字映像データが記憶されたビデオＲＡＭ４８と、サーバー５８から送信される曲データ１００（後述の図６参照）を受信するためのＬＡＮボード５０と、このＬＡＮボード５０により受信された曲データ１００を一時保存するためのＲＡＭ４９とが接続されている。
【００３４】
さらに、ＣＰＵ４５には、ＲＡＭ４９から読み出された曲データ１００に含まれるＭＩＤＩデータ１１０（後述の図６参照）を入力するとともに、その入力されたＭＩＤＩデータ１１０により指定される音源から音源信号を出力するＭＩＤＩ音源ボード５１が接続されている。また、ＣＰＵ４５には、上記出力された音源信号を入力してアンプ１６により増幅可能な信号に変換する音声制御回路５２と、曲データ１００に含まれるジャンルデータ１５０（後述の図６参照）により特定されるジャンルの背景映像を示す背景映像データを読み出すＣＤ−ＲＯＭプレーヤ５３とが接続されている。
【００３５】
また、ＣＰＵ４５には、ＣＤ−ＲＯＭプレーヤ５３から読み出された背景映像データ、及びＲＡＭ４９から読み出された曲データ１００に含まれる歌詞テロップデータ１４０（後述の図６参照）を入力し、モニタ１３の表示画面に表示される背景映像中に歌詞テロップがスーパーインポーズされた映像を作成したり、曲の進行にしたがって歌詞テロップの色を変えたりする映像制御を行う映像制御回路５４が接続されている。
【００３６】
さらに、ＣＰＵ４５には、受光部３８により受光された光信号をデジタル信号に変換する変換回路５５と、制御装置２０の前面パネルに設けられた各種ボタン及びキー（前述のテンキー２１、選曲ボタン２２等）を押したときに点灯するＬＥＤ（前述の選曲番号表示体２３、予約曲数表示体２４等）と、上記ＬＥＤへ表示信号を出力する表示回路５６と、上記各種ボタン及びキーを押したときに発生するスイッチング信号を入力する入力回路５７とが接続されている。
【００３７】
＜曲データ＞
曲データの主要構成について図６を参照して説明する。図６（ａ）は、サーバー５８から制御装置２０へ送信される曲データの主要構成を示す説明図である。曲データ１００は、曲の演奏部分を示すＭＩＤＩデータ１１０、歌詞テロップ（字幕）を示す歌詞テロップデータ１４０、及び曲のジャンルを示すジャンルデータ１５０などから構成されている。ＭＩＤＩデータ１１０の先頭には、図６（ｂ）に示すように、曲の始まりをカウントするための曲カウントデータ１２０を付加することができる。曲カウントデータ１２０としては、例えば、ドラムの音を出すためのＭＩＤＩ音源を指定するＭＩＤＩデータ＃１（後述の図６（ｃ）参照）が用いられる。
【００３８】
ＭＩＤＩデータの構成について図６を参照して説明する。図６（ｃ）は、曲データ１００中のＭＩＤＩデータ１１０の演奏部分の構成を示す説明図である。ＭＩＤＩデータ１１０は、この例では、図６（ｃ）に示すように、電子ドラムの音源を指定するＭＩＤＩデータ＃１、キーボードの音源を指定するＭＩＤＩデータ＃２、エレキベースギターの音源を指定するＭＩＤＩデータ＃３、エレキギターの音源を指定するＭＩＤＩデータ＃４、音源から音源信号を出力させることを指定するノートＯＮデータ１１２、音の強さ（音源信号の出力レベル）を指定するレベルデータ１１４、及び音源から音源信号を出力させないことを指定するノートＯＦＦデータ１１６などのデータから構成される。
【００３９】
楽器の音源を指定するＭＩＤＩデータ、例えばエレキギターの音源を指定するＭＩＤＩデータ＃４を削除した場合は、ＭＩＤＩデータ１１０は、図６（ｄ）に示すデータ構成となる。これにより、曲データが、エレキギター演奏パートを除いたマイナスワン再生状態で再生される。また、ＭＩＤＩデータ１１０には、図６（ｅ）に示すように、例えばＭＩＤＩデータ＃４により発生するエレキギターの音をミュートするためのミュートデータ１１８を付加することができる。この場合も、上記同様、曲データはエレキギター演奏パートを除いたマイナスワン状態で再生される。
【００４０】
＜データテーブル＞
ここで、データテーブル７８について図７を参照して説明する。本実施形態では、一例として、上記のようなマイナスワン再生状態での再生を実現するために、各フォンジャック８２，８３，８４，８５のいずれに各楽器が接続されたかどうかを自動検出し、その検出結果に応じて上述したＭＩＤＩデータの削除処理が行われる。データテーブル７８は、上記処理を行うために、上記楽器接続ボード８の拡張Ｉ／Ｏポート８８により検知された検知データに基づいて、削除すべきＭＩＤＩデータを設定するためのものである。図７において、Ｄ０〜Ｄ７は、図３に示すように、拡張Ｉ／Ｏポート８８の検知ポートＰ００〜Ｐ０７に対応するＣＰＵ４５の入力ポートをそれぞれ示し、そのうちの入力ポートＤ４〜Ｄ７は、楽器接続ボード８に上記楽器以外の楽器を接続するための予備の検知ポートＰ０４〜Ｐ０７にそれぞれ対応する入力ポートである。本実施形態では、この入力ポートＤ４〜Ｄ７は用いないため、Ｘで表されているが、そのＸは、どんな値でもよい。
【００４１】
たとえば、エレキギター４のみを接続した場合は、エレキギター４のフォンプラグ４ａを接続するフォンジャック８５に対応する検知ポートＰ０３の入力レベルがローレベルからハイレベルに変化する。この結果、当該検知ポートＰ０３に対応するＣＰＵ４５の入力ポートＤ３では「１」が検出され、その他の楽器に対応した入力ポートＤ０，Ｄ１，Ｄ２では「０」が検出される結果、削除すべきＭＩＤＩデータを指定する指定データは、Ｘ８Ｈになる（図７中の矢印で示す段のデータ参照）。このように、ＣＰＵ４５は、エレキギター４のみが接続された場合に、図７のテーブルを用いて指定データＸ８Ｈを検出し、これによって楽器接続ボード８にエレキギター４が接続されたと判定するとともに、削除する対象となるＭＩＤＩデータがＭＩＤＩデータ＃４であると認識する。その他の楽器（エレキベースギター、キーボード、電子ドラム）がそれぞれ単体で接続された場合や複数の楽器が接続された場合も、上記同様、ＣＰＵ４５は、図７のテーブルを用いて指定データを検出するとともに、削除対象となるＭＩＤＩデータを認識する（詳細な説明は省略）。
【００４２】
＜リモコン＞
リモコン６０の構成について、その外観を示す図８を参照して説明する。図８に示すように、リモコン６０の上部には、選曲番号をバックライト付きの液晶で表示する選曲番号表示部６１が設けられており、その下には、上記制御装置２０のカラオケ切替ボタン３５と同じ作用をするカラオケ切替ボタン６２と、制御装置２０の入力切替ボタン３６と同じ作用をする外部映像ボタン６３と、サーバー５８が用意しているテレビゲームを行う状態に切り替えるゲームボタン６４とが設けられている。
【００４３】
また、それらボタンの下には、曲間や曲の再生終了後に拍手や歓声の音を再生するように設定するための拍手ボタン６５と、制御装置２０の上記フラットキー２９及びシャープキー３１とそれぞれ同じ機能のフラットキー６６及びシャープキー６７とが設けられており、それらの下には、テンキー６８と、選曲ボタン６９と、演奏停止ボタン７０と、歌い直しボタン７１と、取り消しボタン７２と、割り込みボタン７３とが設けられている。さらに、割り込みボタン７３の右には、ボーカルメロディーの音量を小さくするマイナスボタン７４と、音量を大きくするプラスボタン７５とが設けられている。そして、上記各ボタンを押すと、どのボタンが押されたかを示す光信号が、リモコン６０の上部に設けられた送信窓７６から発信される。
【００４４】
＜本実施形態の特徴＞
以上の基本構成において、本実施形態の特徴は、エレキギター演奏パートを除いたマイナスワン再生状態で演奏者がエレキギター４を演奏しているとき、演奏者自らの意思でマイナスワン再生状態による演奏を中止できるようにしたことである。すなわち、カラオケ楽曲の再生サービスを利用する場合には、通常、複数の人物が一緒に同室して楽しむ場合が多い。エレキギター演奏者が上記のようにマイナスワン再生状態で自分のエレキギター４の演奏を行うとき、上手な演奏であれば、同室者にとっては心地よくまたライブ感によって高い娯楽性を得ることができるが、下手な演奏であれば、同室者にとっては苦痛を伴う。そこで、カラオケ装置１０に楽器演奏の採点機能を設け、エレキギター４の演奏の採点値が低い場合には、マイナスワン再生状態の中止を促す表示が行われる。以下、その詳細を図９を用いて説明する。
【００４５】
カラオケ装置１０による楽曲再生時にＣＰＵ４５により実行される処理内容を、図９に示す。図９において、このフローは、カラオケ装置１０の利用者が、制御装置２０の電源ボタン３９を押して制御装置２０の電源を立ち上げると、開始される。制御装置２０の電源を立ち上がりに連動して、アンプ１６、楽器接続ボード８及びモニタ１３，１４の電源が立ち上がる。なお、前述したように、この例では、カラオケ装置１０の利用者は、楽器接続ボード８にエレキギター４を接続して演奏する場合を例にとって説明する。すなわち、利用者がエレキギター４のフォンプラグ４ａを楽器接続ボード８のフォンジャック８５に接続することで、拡張Ｉ／Ｏポート８８の検知ポートＰ０３に現れる電圧がローレベルからハイレベルに変化する。
【００４６】
図９において、まず、ステップＳ１０において、ＣＰＵ４５は、カラオケ楽曲データの再生状態に係わるフラグＦをＦ＝０に初期化する。なお、Ｆ＝０は、複数の楽器演奏パートを含むカラオケ楽曲データをエレキギター演奏パートを除いたマイナスワン再生状態で再生することを示しており、Ｆ＝１は、カラオケ楽曲データを、すべての演奏パートを含む通常再生状態で再生することを示している。
【００４７】
その後、ステップＳ１５において、ＣＰＵ４５は、検知ポートＰＯ０〜ＰＯ３で検知した楽器種類を、拡張Ｉ／Ｏポート８８を介して入力ポートＤ０ないしＤ７から指定データとして読み込む。その後、ステップＳ２０に移る。
（図１１削除してください）
【００４８】
ステップＳ２０では、ＣＰＵ４５は、上記ステップＳ１５で読み込んだデータに基づいてＲＯＭ４７に記憶されている上記データテーブル７８から指定データを検索する。この例では、前述のように検知ポートＰ０３に現れる電圧がローレベルからハイレベルに変化していることから、ＣＰＵ４５によって、検知ポートＰ０３に対応する入力ポートＤ３からデータ「１」が検出される。この結果、ＣＰＵ４５は、データテーブル７８から入力ポートＤ３のデータが「１」であり、かつ他の入力ポートＤ０，Ｄ１及びＤ２のデータが「０」の場合に対応する、指定データＸ８Ｈを取得する。この指定データＸ８Ｈは、データテーブル７８に示すように、エレキギターのＭＩＤＩ音源を指定するＭＩＤＩデータ＃４を削除することを指定する。ステップＳ２０が終了したら、ステップＳ２５に移る。
【００４９】
ステップＳ２５では、ＣＰＵ４５は、上記ステップＳ２０で検索された指定データ（この例では指定データＸ８Ｈ）をＲＡＭ４６に一時保存する。その後、ステップＳ３０に移る。
【００５０】
ステップＳ３０では、ＣＰＵ４５は、利用者による選曲が終了したか否かを判定する。例えば、利用者が歌いたい曲の選曲番号をリモコン６０のテンキー６８により入力すると、その押す毎にテンキー６８に対応する数字がリモコン６０の選曲番号表示部６１及び制御装置２０の選曲番号表示部２３に順次表示される。続いて、最後の数字のテンキー６８を押してから選曲ボタン６９を押すと、選曲が終了する。選曲が終了するまでは判定が満たされず（ステップＳ３０：ＮＯ）、ループ待機する。選曲が終了した場合は判定が満たされ（ステップＳ３０：ＹＥＳ）、ステップＳ３５に移る。
【００５１】
ステップＳ３５では、ＣＰＵ４５は、ステップＳ３０での選曲結果に対応し、上記選曲番号を示す選曲番号データをＲＡＭ４６に一時保存するとともに、ＬＡＮボード５０を介し、上記選曲番号に対応する曲データ１００の送信を要求するリクエスト信号を、ＬＡＮ回線１５を介してサーバー５８へ送信する。これにより、サーバー５８は、図示しない記憶装置から上記リクエスト信号に示される選曲番号に対応する曲データ１００を検索して読み出し、その読み出された曲データ１００を、ＬＡＮ回線１５を介して制御装置２０に送信する。ステップＳ３５が終了したら、ステップＳ４０に移る。
【００５２】
ステップＳ４０では、ＣＰＵ４５は、ＬＡＮボード５０を介し、サーバー５８からＬＡＮ回線１５を介して送信された曲データ１００を受信する。その後、ステップＳ４５に移る。
【００５３】
ステップＳ４５では、ＣＰＵ４５は、上記ステップＳ４０で受信した曲データ１００をＲＡＭ４９に一時保存させる。その後、ステップＳ５０に移る。
【００５４】
ステップＳ５０では、ＣＰＵ４５は、上記ステップＳ４５でＲＡＭ４６に記憶されている指定データ（前述の例では指定データＸ８Ｈ）を読み出す。その後、ステップＳ５５に移る。
【００５５】
ステップＳ５５では、ＣＰＵ４５は、前述のステップＳ４５でＲＡＭ４９に記憶されているＭＩＤＩデータ１１０の読み出しを開始する。その後、ステップＳ６０に移る。
【００５６】
ステップＳ６０では、ＣＰＵ４５は、ステップＳ５０で読み出した指定データ（この例では指定データＸ８Ｈ）に基づき、上記ステップＳ５５で読み出されこの時点で処理対象としているＭＩＤＩデータが上記指定データで指定されたＭＩＤＩデータ（この例では、エレキギター４のＭＩＤＩ音源を指定するＭＩＤＩデータ＃４）であるか否かを判定する。上記指定されたＭＩＤＩデータであれば判定が満たされ（ステップＳ６０：ＹＥＳ）、ステップＳ６５に移る。上記指定されたＭＩＤＩデータでなければ判定が満たされず（ステップＳ６０：ＮＯ）、後述のステップＳ７５に移る。
【００５７】
ステップＳ６５では、ＣＰＵ４５は、マイナスワン再生に関するフラグＦがＦ＝１であるか否かを判定する。Ｆ＝０の場合はステップＳ６５の判定が満たされず（ステップＳ６５：ＮＯ）、ステップＳ７０に移る。Ｆ＝１の場合はステップＳ６５の判定が満たされ、後述のステップＳ７５へ移る。
【００５８】
ステップＳ７０では、ＣＰＵ４５は、この時点での処理対象のＭＩＤＩデータの削除を行う。これにより、後述のようにステップＳ５５〜ステップＳ１４０が繰り返されるとき、ステップＳ５０でエレキギター４のＭＩＤＩ音源を指定するＭＩＤＩデータ＃４を含むデータが読み出されたときに限り、当該ＭＩＨＤＩデータ＃４が削除される（前述の図６（ｄ）参照）。なお、削除に代えて、前述の図６（ｅ）に示したようにミュートするためのデータ１１８の付加を行ってもよい。この結果、エレキギターの楽曲パートを除いたマイナスワン状態でのカラオケ楽曲データの再生を実現することができる。ステップＳ７０が終了したら、ステップＳ７５に移る。
【００５９】
ステップＳ７５では、ＣＰＵ４５は、ステップＳ５５で読み出された後にステップＳ６０〜ステップＳ７０の処理を経たＭＩＤＩデータ１１０を、図示しないシーケンサを介して、ＣＰＵ４５に内蔵されたタイマのカウントにしたがってＭＩＤＩ音源ボード５１に書き込む。なお、ステップＳ７０でＭＩＤＩデータが削除された場合は（書き込み対象がないため）実質的にこの手順は省略される。ステップＳ７５が終了したら、ステップＳ８０に移る。
【００６０】
ステップＳ８０では、ＣＰＵ４５は、ＭＩＤＩ音源ボード５１に制御信号を出力し、上記ステップＳ７５で書き込んだＭＩＤＩデータに対応した音源信号を、ＭＩＤＩ音源ボード５１から出力させる。ＭＩＤＩ音源ボード５１から出力される音源信号は、音声制御回路５２へ出力されるとともに、アンプ１６により増幅可能な音楽信号に変換され、この変換された音楽信号は、音声出力端子４１からアンプ１６へ出力される。また、マイクロフォン１７，１８から入力された音声信号は、アンプ１６に内蔵されたミキシング回路９において上記音楽信号とミキシングされる。このとき、エレキギター４のフォンプラグ４ａから出力された演奏信号は、楽器接続ボード８及び出力端子８７、及び制御装置２０を介してミキシング回路９に入力され、上記音声信号及び音楽信号とミキシングされる。そして、そのミキシングされたミキシング信号は、アンプ１６に内蔵された図示しない増幅回路により増幅された後にスピーカ１１及びスピーカ１２へ出力され、両スピーカによって再生される。ステップＳ８０が終了すると、ステップＳ８５に移る。
【００６１】
ステップＳ８５では、ＣＰＵ４５は、演奏者の演奏によりエレキギター４から出力され、フォンプラグ４ａにより楽器接続ボード８に入力されたギター演奏信号（ギター音)に基づき、演奏者によるエレキギター４の演奏を公知の手法により採点する。なお、この採点は所定の時間区分ごとに行われる。その後、ステップＳ９０に移る。
【００６２】
ステップＳ９０では、ＣＰＵ４５は、上記フラグＦがＦ＝０であるか否かを判定する。Ｆ＝０の場合は判定が満たされ（ステップＳ９０：ＹＥＳ）、ステップＳ９５に移る。Ｆ＝１の場合は判定が満たされず（ステップＳ９０：ＮＯ）、後述のステップＳ１１５に移る。
【００６３】
ステップＳ９５では、ＣＰＵ４５は、ステップＳ８５で行われたエレキギター４の演奏の採点値が、予め定めた所定の第１しきい値よりも低い得点であるか否かを判定する。採点値が上記第１しきい値よりも低かった場合には判定が満たされ（ステップＳ９５：ＹＥＳ）、ステップＳ１００に移る。一方、例えば演奏者の演奏が比較的上手で採点値が所定の第１しきい値と同じかそれよりも高かった場合には判定が満たされず（ステップＳ９５：ＮＯ）、後述のステップＳ１４０に移る。
【００６４】
ステップＳ１００では、ＣＰＵ４５は、モニタ１３，１４に表示制御信号を出力し、エレキギター４の演奏者に対し、カラオケ楽曲のマイナスワン再生状態での再生を中止するように促す表示を行わせる。その後、ステップＳ１０５に移る。
【００６５】
ステップＳ１０５では、ＣＰＵ４５は、上記ステップＳ１００で上記マイナスワン再生状態の中止を促す表示がモニタ１３，１４で実行されてから以降の所定期間における、エレキギター４のフォンプラグ４ａにより入力される演奏信号の入力レベルが、予め定められた所定の第２しきい値よりも低いか否かを判定する。演奏信号の入力レベルが第２しきい値より低かった場合は、判定が満たされ（ステップＳ１０５：ＹＥＳ）、ステップＳ１１０に移る。演奏信号の入力レベルが第２しきい値以上であった場合には判定が満たされず（ステップＳ１０５：ＮＯ）、後述のステップＳ１４０に移る。
【００６６】
ステップＳ１１０では、ＣＰＵ４５は、上記フラグＦを１とする。すなわち、マイナスワン再生状態での再生から通常再生状態での再生へと設定を切り替える。その後、ステップＳ１４０に移る。
【００６７】
一方、ステップＳ１１５では、ＣＰＵ４５は、上記ステップＳ８５で行われたエレキギター４の演奏の採点値が、上記第１しきい値よりも高い得点であるか否かを判定する。採点値が上記第１しきい値よりも高かった場合にはステップＳ１１５の判定が満たされ（ステップＳ１１５：ＹＥＳ）、ステップＳ１２０に移る。一方、採点値が上記所定の第１しきい値以下であった場合にはステップＳ１１５の判定が満たされず（ステップＳ１１５：ＮＯ）、後述のステップＳ１４０に移る。
【００６８】
ステップＳ１２０では、ＣＰＵ４５は、モニタ１３，１４に表示制御信号を出力し、エレキギター４の演奏者に対し、カラオケ楽曲の再生をマイナスワン再生状態の再生へ促す表示を行わせる。その後、ステップＳ１２５に移る。
【００６９】
ステップＳ１２５では、ＣＰＵ４５は、上記ステップＳ１２０で上記マイナスワン再生状態での再生を促す表示がモニタ１３，１４で実行されてから以降の所定期間における、演奏者によるエレキギター４の演奏を、フォンプラグ４ａにより楽器接続ボード８に入力されたギター演奏信号（ギター音)に基づき公知の手法により採点する。その後、ステップＳ１３０に移る。
【００７０】
ステップＳ１３０では、ＣＰＵ４５は、上記ステップＳ１２０におけるエレキギター４の演奏の採点値が所定の第３しきい値(上記第１しきい値と同じ値でもよいし、別の値でもよい)以上の得点であるか否かを判定する。上記採点値が第３しきい値以上であった場合には、判定が満たされ（ステップＳ１３０：ＹＥＳ）、ステップＳ１３５に移る。一方、上記採点値が第３しきい値未満であった場合には、ステップＳ１３０の判定が満たされず（ステップＳ１３０：ＮＯ）、後述のステップＳ１４０に移る。
【００７１】
ステップＳ１３５では、ＣＰＵ４５は、上記フラグＦを０とする。すなわち、通常再生状態での再生からマイナスワン再生状態での再生へ設定を切り替える。その後、ステップＳ１４０に移る。
【００７２】
ステップＳ１４０では、ＣＰＵ４５は、曲データ１００の再生が終了したか（言い換えれば、ステップＳ５５でのＭＩＤＩデータの読み出しが曲データ１００の最後のＭＩＤＩデータまで終了したか）否かを判定する。曲データ１００の再生が終了するまでは判定が満たされず（ステップＳ１４０：ＮＯ）、上記ステップＳ５０に戻り、同様の手順を繰り返す。
【００７３】
以上のようにして、ステップＳ５０〜ステップＳ１４０の繰り返しが行われるとき、Ｆ＝０の場合にはステップＳ７０でのＭＩＤＩデータの削除（又はミュート）によりステップＳ８０でマイナスワン再生状態での再生が行われ、ステップＳ８５で採点が行われる。このとき、例えば演奏者の演奏が比較的上手であった場合には、ステップＳ９５を経てステップＳ１４０へ移行して再びステップＳ５０からの手順が繰り返され、マイナスワン再生状態が継続される。例えば演奏者の演奏があまり上手でなかった場合には、ステップＳ９５を経てステップＳ１００でマイナスワン状態の再生の中止を促す表示が行われる。
【００７４】
このとき、演奏者がこの表示に従わずそのまま演奏を続けた場合はステップＳ１０５からステップＳ１４０へ移行して再びステップＳ５０からの手順が繰り返され、マイナスワン再生状態でのあまり上手でない演奏が継続される結果、マイナスワン状態の再生の中止を促す表示が継続して（繰り返し）行われる。一方、上記表示に従う形で、演奏者が同室者に配慮してエレキギター４の演奏を停止したりエレキギター４を小さい音で弾くようにすると、ステップＳ１０５を経てステップＳ１１０でＦ＝１となり、ステップＳ１４０から再びステップＳ５０からの手順が繰り返されるとき、マイナスワン再生状態ではなく通常再生状態へ切り替えられる。
【００７５】
このようにして通常再生状態へ切り替えられると、ステップＳ５０からステップＳ５５、ステップＳ６０、ステップＳ６５、ステップＳ７５を経てステップＳ８０で通常再生状態での再生が行われ、ステップＳ８５で再び採点が行われる。ここで、前述のように演奏者の演奏があまり上手でない等により通常再生状態となったものであるが、その後演奏者が得意とする楽曲（あるいは演奏部分）である等により演奏が比較的上手であった場合には、ステップＳ９０、ステップＳ１１５を経てステップＳ１２０でマイナスワン状態の再生を促す表示が行われる。
【００７６】
このとき、演奏者がこの表示に従う形で同室者に配慮してマイナスワン状態への切り替えることを決意した場合には、上記比較的上手な演奏をそのまま続けることでステップＳ１２５を経てステップＳ１３０の判定が満たされ、ステップＳ１３５でＦ＝０となり、ステップＳ１４０から再びステップＳ５０からの手順が繰り返されるとき、通常再生状態ではなくマイナスワン再生状態へ切り替えられる。一方、上記表示にもかかわらずマイナスワン状態への切り替えを意図しない場合には、エレキギター４の演奏を停止したりエレキギター４を小さい音で弾くようにすると、ステップＳ１２５での採点結果が悪くなってステップＳ１３０からステップＳ１４０へ移行して再びステップＳ５０からの手順が繰り返され、通常状態での再生が続行される。
【００７７】
以上のようにして、演奏者の演奏が上手であるか下手であるか、及び、そのときの表示による勧告に従って再生状態の切り替えを行うか行わないか、に応じて、手順の流れが適宜に切り替えられながら、ステップＳ５０〜ステップＳ１４０が繰り返される。そして、曲データ１００の再生が終了すると、ステップＳ１４０の判定が満たされ（ステップＳ１４０：ＹＥＳ）ることで、このフローが終了する。
【００７８】
なお、以上のフローにおいて、上記ステップＳ６０、ステップＳ６５、ステップＳ７０の手順が各請求項に記載のマイナスワン切替手段として機能し、上記ステップＳ８０の手順がカラオケ楽曲再生手段として機能し、上記ステップＳ８５、ステップＳ１２５の手順が楽器演奏採点手段として機能する。また、上記ステップＳ９０、ステップＳ９５、ステップＳ１００、ステップＳ１０５、ステップＳ１１０、ステップＳ１１５、ステップＳ１２０、ステップＳ１３０、及びステップＳ１３５の手順が、マイナスワン制御手段を構成する。また、ステップＳ１５及びステップＳ２０が、楽器識別手段として機能する。
【００７９】
以上説明したように、本実施形態のカラオケ装置１０は、カラオケ楽曲データをマイナスワン再生状態で再生する機能を備え、上記の例ではエレキギターの演奏パートを除いたマイナスワン再生状態で再生することができる。これにより、エレキギター４を演奏する演奏者（利用者）は、当該マイナスワン再生状態で再生されるカラオケ楽曲に合わせて、上記除かれたエレキギター演奏パートを自らのエレキギター４で演奏して、当該エレキギター４の練習を行ったり、カラオケ楽曲全体のアンサンブルを楽しむことができる。
【００８０】
そして、カラオケ装置１０は、楽器演奏の採点機能を備えている。演奏者のエレキギター４からの演奏信号が入力されると、そのエレキギター演奏の採点を行う。そして、その採点値が上記第１しきい値よりも低かった場合には、モニタ１３，１４において、マイナスワン再生状態での再生の中止を促す表示が行われる（図９のステップＳ１００参照）。これにより、演奏者は、自分のエレキギター４の演奏が同室者に対し苦痛を与えているかもしれない可能性を認識することができる。
【００８１】
そして、本実施形態では、演奏者が上記認識によりエレキギター４の演奏を中止する場合に備え、上記中止を促す表示が実行された以降の所定期間における演奏信号のレベルが上記第２しきい値よりも低い場合には、マイナスワン再生状態での再生から通常再生状態での再生へと設定を自動的に切り替える（ステップＳ１１０参照）。これにより、エレキギター４の演奏者は、前述したように、例えばエレキギター４の演奏を中止するかほとんど演奏しないようにすることで、自らの意思でマイナスワン再生状態によるエレキギター４の演奏を中止し、同室者に対する気遣いを実行することができる。
【００８２】
以上のようにして、本実施形態においては、エレキギター４の演奏者に対し同室者への配慮を喚起しつつ、演奏者の自らの意思でマイナスワン演奏を中止するかどうかを決定させることができる。したがって、演奏者及び同室者双方の利便性を向上することができる。
【００８３】
一方、上述したように、エレキギター４の演奏者の演奏が上手であれば、同室者にとってはその演奏は心地よく、ライブ感により高い娯楽性を得ることができる。したがって、可能な限りその演奏は継続するほうが好ましい。そこで、本実施形態では特に、通常再生状態で再生されるエレキギター４の演奏パートと楽音が重複するように演奏者が自らのエレキギター４の演奏を行っている場合において、エレキギター４の演奏の採点値が上記第２しきい値よりも高かった場合には、モニタ１３，１４において、マイナスワン再生状態での再生を促す表示が行われる（ステップＳ１２０参照）。これにより、演奏者に対し、自分のエレキギター４の演奏により同室者を喜ばすためには、マイナスワン再生状態としたほうがよいかもしれない、という認識を与えることができる。
【００８４】
そして、演奏者が当該認識によりマイナスワン再生状態に切り替える場合に備え、本実施形態においては、上記マイナスワン再生状態での再生を促す表示が実行された以降の所定期間における演奏信号のレベルが上記第３しきい値以上である場合には、通常再生状態での再生からマイナスワン再生状態での再生へと設定を自動的に切り替える（ステップＳ１３５参照）。これにより、演奏者は、前述したように、例えばその上手なエレキギター４の演奏を継続して実行することで、自らの意思でマイナスワン再生状態による再生に切り替え、同室者に対するさらなる気遣いを実行することができる。
【００８５】
また、本実施形態では特に、図９のステップＳ１５及びステップＳ２０の処理により、楽器演奏者の楽器（この例ではエレキギター４）が接続されたこと、及び、接続された当該楽器の種類（この例ではエレキギター４）が検出され、これによって、複数の楽器演奏パートのうち当該検出された楽器（この例ではエレキギター４）の演奏パートを除いたマイナスワン再生状態での再生へ設定が切り替えられる。
【００８６】
これにより、前述したように、演奏者がエレキギター４の演奏を開始しようとして自らのエレキギター４を接続するだけで、カラオケ楽曲データの再生の設定が、当該エレキギターの演奏パートを除いたマイナスワン再生状態に自動的に切り替えられる（図９のステップＳ６０及びステップＳ７０参照）。したがって、エレキギター演奏者は、マイナスワン再生状態へ切り替えるための設定を手動で行う必要が無くなり、操作労力を低減することができる。
【００８７】
なお、上述のように、マイナスワンの対象となる楽器（上記の例ではエレキギター４）を楽器接続ボード８への接続により自動的に検出するのにも限られない。すなわち、リモコン６０により手動により当該楽器を設定するようにしてもよい。
【００８８】
また、以上は、本発明の楽音演奏装置でマイナスワン再生状態のときに演奏パートが削除又はミュートされる楽器の例として、エレキギター４を例にとって説明したが、本発明はこれに限られず、エレキドラム、キーボード、エレキベースギターなどその他の楽器も可能である。
【００８９】
なお、以上において、図３等の各図中に示す矢印は信号の流れの一例を示すものであり、信号の流れ方向を限定するものではない。
【００９０】
また、図９に示すフローチャートは本発明を上記フローに示す手順に限定するものではなく、発明の趣旨及び技術的思想を逸脱しない範囲内で手順の追加・削除又は順番の変更等をしてもよい。
【００９１】
また、以上既に述べた以外にも、上記実施形態や各変形例による手法を適宜組み合わせて利用しても良い。
【００９２】
その他、一々例示はしないが、本発明は、その趣旨を逸脱しない範囲内において、種々の変更が加えられて実施されるものである。
【符号の説明】
【００９３】
４                エレキギター
１０              カラオケ装置（楽音演奏装置）
１３，１４        モニタ（表示手段）
２０              制御装置
４５              ＣＰＵ
５１              ＭＩＤＩ音源ボード
７８              データテーブル
８２〜８５        フォンジャック（演奏信号入力手段）
１００            楽曲データ
１１０            ＭＩＤＩデータ
Ｐ０１〜Ｐ０３    検知ポート
＃１〜＃４        ＭＩＤＩデータ
【図１】
0005327725.tif 000002
【図２】
0005327725.tif 000003
【図３】
0005327725.tif 000004
【図４】
0005327725.tif 000005
【図５】
0005327725.tif 000006
【図６】
0005327725.tif 000007
【図７】
0005327725.tif 000008
【図８】
0005327725.tif 000009
【図９】
0005327725.tif 000010